(57)【要約】【課題】本発明の目的は、改修における作業工程を省略することができるエレベーターのかご装置を提供することである。【解決手段】本発明に係るエレベーターのかご装置は、かご枠柱８と、かご枠柱８に固定された既設の第１ケタ取付腕９と、第１ケタ取付腕９に固定された新設の第２ケタ取付腕１０と、第２ケタ取付腕１０に取り付けられたドア開閉装置３と、を備えたものである。【選択図】図５
2016078952.tif 000002
【特許請求の範囲】
【請求項１】
かご枠柱と、
前記かご枠柱に固定された既設の第１ケタ取付腕と、
前記第１ケタ取付腕に固定された新設の第２ケタ取付腕と、
前記第２ケタ取付腕に取り付けられたドア開閉装置と、
を備えたエレベーターのかご装置。
【請求項２】
前記第１ケタ取付腕は、前記ドア開閉装置の取付高さに対応しない高さに設けられ、
前記第２ケタ取付腕は、前記ドア開閉装置の取付高さに対応した高さに設けられた請求項１に記載のエレベーターのかご装置。
【請求項３】
前記第２ケタ取付腕は、前記第１ケタ取付腕の上側に配置された請求項１又は２に記載のエレベーターのかご装置。
【請求項４】
前記第２ケタ取付腕は、前記第１ケタ取付腕の下側に配置された請求項１又は２に記載のエレベーターのかご装置。
【請求項５】
前記第２ケタ取付腕は、前記第１ケタ取付腕の一端よりも水平方向に突出するように配置され、
前記ドア開閉装置は、前記第２ケタ取付腕のうち前記第１ケタ取付腕の前記一端よりも水平方向に突出した部分に取り付けられた請求項４に記載のエレベーターのかご装置。
【請求項６】
エレベーターのかご装置のかご枠柱に固定された第１ケタ取付腕に取り付けられている第１ドア開閉装置を取り外すステップと、
前記第１ドア開閉装置が取り外された状態の前記第１ケタ取付腕に第２ケタ取付腕を固定するステップと、
前記第１ケタ取付腕に固定された前記第２ケタ取付腕に第２ドア開閉装置を取り付けるステップと、
を備えたエレベーターのかご装置の改修方法。
【請求項７】
前記第１ケタ取付腕は、前記第１ドア開閉装置の取付高さに対応した高さに設けられ、
前記第２ケタ取付腕は、前記第２ドア開閉装置の取付高さに対応した高さに設けられた請求項６に記載のエレベーターのかご装置の改修方法。
【請求項８】
前記第２ケタ取付腕は、前記第１ケタ取付腕の上側に配置される請求項６又は７に記載のエレベーターのかご装置の改修方法。
【請求項９】
前記第２ケタ取付腕は、前記第１ケタ取付腕の下側に配置される請求項６又は７に記載のエレベーターのかご装置の改修方法。
【請求項１０】
前記第１ケタ取付腕は、前記第１ドア開閉装置が取り外された後に端部を切断され、
前記第２ケタ取付腕は、前記第１ケタ取付腕の切断により形成された一端よりも水平方向に突出するように配置され、
前記第２ドア開閉装置は、前記第２ケタ取付腕のうち前記第１ケタ取付腕の前記一端よりも水平方向に突出した部分に取り付けられる請求項９に記載のエレベーターのかご装置の改修方法。
【発明の詳細な説明】
【技術分野】
【０００１】
本発明は、エレベーターのかご装置及びエレベーターのかご装置の改修方法に関するものである。
【背景技術】
【０００２】
下記特許文献１には、エレベーターのかごドア装置が記載されている。かごドア装置は、かごの戸を開閉させるドア開閉装置を備えている。
【先行技術文献】
【特許文献】
【０００３】
【特許文献１】特開２００４−３４５７８２号公報
【発明の概要】
【発明が解決しようとする課題】
【０００４】
特許文献１に記載のようなドア開閉装置は、例えば、かご枠柱に固定されたケタ取付腕に取り付けられている。かご装置を改修する際に、ドア開閉装置の取付高さを変更する場合には、ケタ取付腕の取付高さも変更する必要がある。
【０００５】
本発明は、上記の課題を解決するためになされた。その目的は、改修における作業工程を省略できるエレベーターのかご装置及びエレベーターのかご装置の改修方法を提供することである。
【課題を解決するための手段】
【０００６】
本発明に係るエレベーターのかご装置は、かご枠柱と、かご枠柱に固定された既設の第１ケタ取付腕と、第１ケタ取付腕に固定された新設の第２ケタ取付腕と、第２ケタ取付腕に取り付けられたドア開閉装置と、を備えたものである。
【０００７】
本発明に係るエレベーターのかご装置の改修方法は、エレベーターのかご装置のかご枠柱に固定された第１ケタ取付腕に取り付けられている第１ドア開閉装置を取り外すステップと、第１ドア開閉装置が取り外された状態の第１ケタ取付腕に第２ケタ取付腕を固定するステップと、第１ケタ取付腕に固定された第２ケタ取付腕に第２ドア開閉装置を取り付けるステップと、を備えたものである。
【発明の効果】
【０００８】
本発明において、ドア開閉装置は、既設の第１ケタ取付腕に固定された新設の第２ケタ取付腕に取り付けられている。このため、本発明によれば、かご装置の改修における作業工程を省略することができる。
【図面の簡単な説明】
【０００９】
【図１】本発明の実施の形態１におけるかごドア装置の正面図である。
【図２】図１に示すかごドア装置のＡ−Ａ断面図である。
【図３】本発明の実施の形態１におけるかご装置の一部分を示す側面図である。
【図４】本発明の実施の形態１におけるかご装置の改修方法を説明するための図である。
【図５】本発明の実施の形態１におけるかご装置の改修方法を説明するための図である。
【図６】本発明の実施の形態１におけるかご装置の改修前後のドア開閉装置の取付高さを示す図である。
【図７】本発明の実施の形態２におけるかご装置の改修方法を説明するための図である。
【図８】本発明の実施の形態２におけるかご装置の改修方法を説明するための図である。
【図９】本発明の実施の形態２におけるかご装置の改修前後のドア開閉装置の取付高さを示す図である。
【発明を実施するための形態】
【００１０】
添付の図面を参照して、本発明を詳細に説明する。各図では、同一又は相当する部分に同一の符号を付している。重複する説明は、適宜簡略化あるいは省略する。
【００１１】
実施の形態１．
本発明におけるエレベーターのかご装置は、かごドア装置１を備えている。図１は、実施の形態１におけるかごドア装置１の正面図である。図２は、図１に示すかごドア装置１のＡ−Ａ断面図である。以下、かご装置からエレベーターの乗場側に向かう方向を前方として説明する。図１における紙面手前側及び図２における左側は前方である。
【００１２】
かごドア装置１は、かごの戸２及びドア開閉装置３を備えている。かごの戸２は、前方から見て左右に１つずつ設けられている。ドア開閉装置３は、ハンガーレール４、ドアモーター５、ベルト６及びドアハンガー７を備えている。ベルト６は、ドアモーター５に巻き掛けられている。ドアハンガー７は、ベルト６に取り付けられている。ドアハンガー７は、ハンガーレール４上を水平方向に移動可能である。ドアハンガー７は、前方から見て左右に１つずつ設けられている。左側のかごの戸２の上面は、ボルト等によって左側のドアハンガー７の下面に固定されている。右側のかごの戸２の上面は、ボルト等によって右側のドアハンガー７の下面に固定されている。つまり、かごの戸２は、ドアハンガー７を介してハンガーレール４に支持されている。かごの戸２は、ドアモーター５が駆動すると、ベルト６及びドアハンガー７に連動して開閉される。
【００１３】
図３は、実施の形態１におけるかご装置の一部分を示す側面図である。図３における左側は前方である。
【００１４】
かご装置は、図示しないかご室及びかご枠を備えている。かご枠は、乗客が乗るためのかご室を外側から支持している。かご枠は、かご枠柱８を備えている。かご枠柱８には、第１ケタ取付腕９が固定されている。第１ケタ取付腕９は、上面と下面とが平行になるように形成されている。第１ケタ取付腕９は、上面及び下面が水平になるように設けられている。第１ケタ取付腕９は、前端がかご枠柱８よりも前方に突出して設けられている。ドア開閉装置３は、第１ケタ取付腕９の前端側に取り付けられている。つまり、かごドア装置１は、第１ケタ取付腕９に支持されている。第１ケタ取付腕９は、かごドア装置１が倒れることを防止している。
【００１５】
以下、ドア開閉装置３の取り替えを含むかご装置の改修方法の一例について説明する。なお、改修前後でドア開閉装置３を区別する必要がある場合は、改修前のものは「第１ドア開閉装置３ａ」、改修後のものは「第２ドア開閉装置３ｂ」と表記する。第１ケタ取付腕９は、第１ドア開閉装置３ａの取付高さに対応した高さに設けられている。
【００１６】
図４及び図５は、実施の形態１におけるかご装置の改修方法を説明するための図である。図４及び図５における左側は前方である。
【００１７】
まず、図４に示すように、第１ケタ取付腕９から第１ドア開閉装置３ａが取り外される。この状態において、二点鎖線矢印Ｂで示すように、第１ケタ取付腕９に対して上下方向に穴加工が施される。穴加工は、例えば、前後方向において、第１ケタ取付腕９の前端付近及びかご枠柱８の後端付近の位置に施される。
【００１８】
次に、図５に示すように、既設の第１ケタ取付腕９の上面に新設の第２ケタ取付腕１０が固定される。第２ケタ取付腕１０は、上面と下面とが平行になるように形成されている。第２ケタ取付腕１０は、穴加工により形成された穴を利用して、ボルト等によって第１ケタ取付腕９に固定される。第２ケタ取付腕１０は、下面が第１ケタ取付腕９の上面と接した状態で固定される。このとき、第２ケタ取付腕１０は、前後方向において、前端が第１ケタ取付腕９の前端と揃うように固定される。
【００１９】
そして、第１ケタ取付腕９の上面に第２ケタ取付腕１０が固定された後に、第２ケタ取付腕１０に第２ドア開閉装置３ｂが取り付けられる。第２ドア開閉装置３ｂは、第２ケタ取付腕１０の前端側に取り付けられる。このようにして、ドア開閉装置３が取り替えられる。
【００２０】
図６は、実施の形態１におけるかご装置の改修前後のドア開閉装置３の取付高さを示す図である。図６における左側は前方である。
【００２１】
図６では、右側に改修前の状態が示され、左側に改修後の状態が示されている。第１ケタ取付腕９は、第２ドア開閉装置３ｂの取付高さに対応しない高さに設けられている。第２ケタ取付腕１０は、第２ドア開閉装置３ｂの取付高さに対応した高さに設けられている。改修後の第２ドア開閉装置３ｂの取付高さは、改修前の第１ドア開閉装置３ａの取付高さよりも高さＤ１だけ高くなっている。つまり、第２ケタ取付腕１０の上下方向の長さは、ドア開閉装置３の取付高さが改修前よりも高さＤ１だけ高くなるように形成されている。改修後の第２ドア開閉装置３ｂは、前後方向において、改修前の第１ドア開閉装置３ａと同じ位置に設けられている。
【００２２】
実施の形態１におけるかご装置は、既設の第１ケタ取付腕９に固定された新設の第２ケタ取付腕１０にドア開閉装置３を取り付けて改修されている。このため、本発明の実施の形態１におけるかご装置であれば、改修前後でドア開閉装置３の取付高さが変更される場合であっても、既設の第１ケタ取付腕９の取外し作業を行う必要が無い。また、既設の第１ケタ取付腕９は水平に設けられているため、新設の第２ケタ取付腕１０の水平だしの作業を行う必要が無い。その結果、エレベーターのかご装置の改修における作業工程を省略し、作業時間を短縮することができる。
【００２３】
実施の形態１において、新設の第２ケタ取付腕１０は、既設の第１ケタ取付腕９の上側に配置されている。このため、改修後の第２ドア開閉装置３ｂの取付高さが改修前の第１ドア開閉装置３ａの取付高さよりも高くなる場合に、作業工程を省略することができる。
【００２４】
実施の形態２．
以下、実施の形態１との相違点を中心に、実施の形態２について説明する。重複する説明は、適宜簡略化あるいは省略する。
【００２５】
図７及び図８は、実施の形態２におけるかご装置の改修方法を説明するための図である。図７及び図８における左側は前方である。
【００２６】
まず、図７に示すように、第１ケタ取付腕９から第１ドア開閉装置３ａが取り外される。この状態において、実施の形態２では、第１ケタ取付腕９の前端部が切断される。このとき切断されて除かれた部分は、第１ドア開閉装置３ａが取り付けられていた範囲である。さらに、二点鎖線矢印Ｃで示すように、第１ケタ取付腕９に対して上下方向に穴加工が施される。穴加工は、例えば、前後方向において、第１ケタ取付腕９の切断により形成された新たな前端付近及びかご枠柱８の後端付近の位置に施される。
【００２７】
次に、図８に示すように、前端部が切断された第１ケタ取付腕９の下面に第２ケタ取付腕１０が固定される。第２ケタ取付腕１０は、上面と下面とが平行になるように形成されている。新設の第２ケタ取付腕１０は、穴加工により形成された穴を利用して、ボルト等によって既設の第１ケタ取付腕９に固定される。第２ケタ取付腕１０は、上面が第１ケタ取付腕９の下面と接した状態で固定される。第２ケタ取付腕１０は、前端が、第１ケタ取付腕９の新たな前端よりも前方に突出するように配置される。このとき、第２ケタ取付腕１０は、前後方向において、前端の位置が切断前の第１ケタ取付腕９の前端の位置と同じになるように固定される。
【００２８】
そして、第１ケタ取付腕９の下面に第２ケタ取付腕１０が固定された後に、第２ケタ取付腕１０に第２ドア開閉装置３ｂが取り付けられる。第２ドア開閉装置３ｂは、第２ケタ取付腕１０のうち第１ケタ取付腕９の新たな前端よりも前方に突出した部分に取り付けられる。このようにして、ドア開閉装置３が取り替えられる。
【００２９】
図９は、実施の形態２におけるかご装置の改修前後のドア開閉装置３の取付高さを示す図である。図９における左側は前方である。
【００３０】
図９では、右側に改修前の状態が示され、左側に改修後の状態が示されている。第１ケタ取付腕９は、第２ドア開閉装置３ｂの取付高さに対応しない高さに設けられている。第２ケタ取付腕１０は、第２ドア開閉装置３ｂの取付高さに対応した高さに設けられている。改修後の第２ドア開閉装置３ｂの取付高さは、改修前の第１ドア開閉装置３ａの取付高さよりも高さＤ２だけ低くなっている。つまり、第２ケタ取付腕１０の上下方向の長さは、ドア開閉装置３の取付高さが改修前よりも高さＤ２だけ低くなるように形成されている。改修後の第２ドア開閉装置３ｂは、前後方向において、改修前の第１ドア開閉装置３ａと同じ位置に設けられている。
【００３１】
実施の形態２において、新設の第２ケタ取付腕１０は、既設の第１ケタ取付腕９の下側に配置されている。このため、改修後の第２ドア開閉装置３ｂの取付高さが改修前の第１ドア開閉装置３ａの取付高さよりも低くなる場合に、作業工程を省略することができる。その結果、実施の形態１と同等の効果を得ることができる。
【００３２】
実施の形態２において、新設の第２ケタ取付腕１０は、第１ケタ取付腕９の切断により形成された新たな前端よりも前方に突出するように配置されている。このため、本発明の実施の形態２におけるかご装置であれば、第２ケタ取付腕１０が第１ケタ取付腕９の下側に配置される場合であっても、適切な取付高さ及び前後方向における位置に第２ドア開閉装置３ｂを取り付けることができる。その結果、実施の形態１と同等の効果を得ることができる。
【００３３】
本発明において、第２ケタ取付腕１０を第１ケタ取付腕９に固定する方法は、上下方向に形成された穴とボルト等によるものに限らない。また、第２ケタ取付腕１０は、適切な取付高さで水平に固定可能であれば、第１ケタ取付腕９の上面又は下面に接していなくともよい。
【００３４】
実施の形態１における高さＤ１及び実施の形態２における高さＤ２の値は、同じであっても異なっていてもよい。高さＤ１及び高さＤ２の値は、改修対象となるかご装置に応じて決定される。
【００３５】
実施の形態１及び２におけるドア開閉装置３は両開き用であるが、本発明は、片開き用のドア開閉装置３に対しても適用できる。
【符号の説明】
【００３６】
１  かごドア装置、２  かごの戸、３  ドア開閉装置、３ａ  第１ドア開閉装置、３ｂ  第２ドア開閉装置、４  ハンガーレール、５  ドアモーター、６  ベルト、７  ドアハンガー、８  かご枠柱、９  第１ケタ取付腕、１０  第２ケタ取付腕
【図１】
2016078952.tif 000003
【図２】
2016078952.tif 000004
【図３】
2016078952.tif 000005
【図４】
2016078952.tif 000006
【図５】
2016078952.tif 000007
【図６】
2016078952.tif 000008
【図７】
2016078952.tif 000009
【図８】
2016078952.tif 000010
【図９】
2016078952.tif 000011